(57)【要約】【課題】１槽の処理槽のみで高度処理を行う膜分離装置において、処理性能を向上させる。【解決手段】膜分離装置１０は、無端状の処理槽１４を有し、この処理槽１４に複数の膜ユニット２２、２２…が所定の間隔をあけて配設される。処理槽１４の内側には、原水槽１２が設けられ、この原水槽１２から各膜ユニット２２の下流側に被処理水が供給される。処理槽１４は、膜ユニット２２の側方に可動壁４４を有し、この可動壁４４によって流路を狭窄することができる。処理槽１４の底面は、膜ユニット２２の設置位置において水深が深くなっており、この深部３４に散気管３０が設置される。【選択図】  図１
2008212930.tif 000002
【特許請求の範囲】
【請求項１】
被処理水が生物学的に処理されるとともに、前記被処理水の旋回流が形成される無端状の処理槽と、前記被処理水に浸漬されて該被処理水を膜分離処理する膜ユニットを備えた膜分離装置において、
前記処理槽は、前記膜ユニットの設置位置に、水深の大きい深部を有し、該深部の底部に散気手段が設けられることを特徴とする膜分離装置。
【請求項２】
前記膜ユニットの上流側と下流側にはそれぞれ阻流板が設けられ、
前記上流側の阻流板は、その上端が液面よりも高く突出されるとともに、下端が底面から所定の隙間を持って配置され、
前記下流側の阻流板は、その上端が液面より低い位置に配置されるとともに、下端が底面に固定されることを特徴とする請求項１に記載の膜分離装置。
【請求項３】
前記深部の上流側はテーパ状に形成されていることを特徴とする請求項２に記載の膜分離装置。
【発明の詳細な説明】
【技術分野】
【０００１】
本発明は膜分離装置に係り、特に、排水処理設備の膜分離装置に関する。
【背景技術】
【０００２】
従来の膜分離排水処理装置は、水槽内に膜ユニットを設置して膜処理を行うことが主流である。例えばＢＯＤ処理を対象とする場合には、ＢＯＤの酸化を行う「酸化槽」を設置し、そこに膜ユニットを浸漬させて固液分離を行っている。また、窒素処理を含めた高度処理を行う場合には、嫌気状態に保って脱窒を行う「脱窒槽」と、硝化及び膜による固液分離を行う「硝化槽」の２槽を処理槽として設置し、この２槽の間で処理水を循環させている。
【０００３】
しかし、２槽を用いて高度処理を行うと、送液、循環、攪拌などを行う機器類が別途必要になり、コストが上昇するという問題があった。
【０００４】
このため、近年では、１槽のみを用いて高度処理を行う装置が開発されている。例えば、特許文献１には、無端状の処理槽に複数の膜ユニットを配設した膜分離装置が提案されている。この膜分離装置では、複数の膜ユニットが被処理水の流れ方向に所定の間隔をあけて配置されている。このため、濾過処理を多段階的に行うことができる。さらに、膜ユニットの膜面が旋回流の流れ方向と平行に配置されているため、膜面への汚泥等の堆積を防止できる。
【０００５】
特許文献２には、膜ユニットの下方に散気手段を配置するとともに、散気手段によるエアリフト効果を利用して旋回流を形成する膜分離装置が提案されている。この膜分離装置によれば、散気手段で散気を行うことによって旋回流を形成することができ、消費動力を削減することができる。
【特許文献１】特開平６−２８５３３９号公報
【特許文献２】特開２００１−４７０４６号公報
【発明の開示】
【発明が解決しようとする課題】
【０００６】
しかしながら、１槽のみで高度処理を行う膜分離装置は、処理性能が低いという問題があった。
【０００７】
例えば、特許文献１の膜分離装置は、原水供給管から供給された被処理水中のＢＯＤが、被処理水中の汚泥に含有される嫌気菌（例えば脱窒菌）の栄養源として消費されるため、原水供給管の下流側になるにつれてＢＯＤ濃度が低くなる。このため、原水供給管の下流側になるにつれて嫌気性処理の性能が低下するという問題があった。
【０００８】
特許文献２の膜分離装置では、エアリフト効果によって旋回流を形成するため、被処理水の流速が不足し、膜面の洗浄効果が小さいという問題があった。その結果、膜面への汚泥の堆積を十分に防止することができず、膜面が短期間で閉塞し、処理性能が低下するという問題があった。
【０００９】
本発明はこのような事情に鑑みて成されたもので、１槽の処理槽のみで高度処理を行う膜分離装置において、処理性能を向上させることを目的とする。
【課題を解決するための手段】
【００１０】
請求項１に記載の発明は前記目的を達成するために、被処理水が生物学的に処理されるとともに、前記被処理水の旋回流が形成される無端状の処理槽と、前記被処理水に浸漬されて該被処理水を膜分離処理する膜ユニットを備えた膜分離装置において、前記処理槽は、前記膜ユニットの設置位置に、水深の大きい深部を有し、該深部の底部に散気手段が設けられることを特徴としている。
【００１１】
請求項１に記載の発明によれば、膜ユニットの設置位置に処理槽の深部を設け、この深部に散気手段を配置したので、散気手段で散気した気泡が被処理水に接触する時間が長くなる。これにより、被処理水における酸素の溶解効率を向上させることができ、硝化などの好気性処理性能を向上させることができる。
【００１２】
請求項２に記載の発明は請求項１の発明において、前記膜ユニットの上流側と下流側にはそれぞれ阻流板が設けられ、前記上流側の阻流板は、その上端が液面よりも高く突出されるとともに、下端が底面から所定の隙間を持って配置され、前記下流側の阻流板は、その上端が液面より低い位置に配置されるとともに、下端が底面に固定されることを特徴としている。
【００１３】
請求項３に記載の発明は請求項２の発明において、前記深部の上流側はテーパ状に形成されていることを特徴としている。
【発明の効果】
【００１４】
本発明に係る膜分離装置によれば、膜ユニットの位置に処理槽の深部を設けることによって、１槽の処理槽で高度処理を行う膜分離装置の処理性能を向上させることができる。
【発明を実施するための最良の形態】
【００１５】
以下添付図面に従って、本発明に係る膜分離装置の好ましい実施の形態について詳説する。
【００１６】
図１は、本発明を硝化・脱窒装置に適用した膜分離装置示す平面図である。
【００１７】
同図に示すように、膜分離装置１０は主として、原水槽１２と処理槽１４で構成される。原水槽１２は、略矩形状に形成され、この原水槽１２の周囲を囲むようにして処理槽１４が形成される。すなわち、処理槽１４は無端状に形成されており、その内側に原水槽１２が設けられる。原水槽１２には被処理水が貯留され、この被処理水が後述する供給用配管１６を介して処理槽１４に供給される。
【００１８】
処理槽１４には攪拌機１８が設けられる。この攪拌機１８を駆動することによって、被処理水が原水槽１２の回りを旋回する旋回流が形成される。なお、攪拌機１８は、運転開始時のみに駆動すればよい。すなわち、後述するエアリフト効果によって旋回流が安定して形成された際には攪拌機１８を停止してもよい。
【００１９】
処理槽１４には、複数の膜ユニット２２、２２…が設けられる。膜ユニット２２は、旋回流の流れ方向において所定の間隔をあけて配設される。
【００２０】
図２に示すように、膜ユニット２２は、複数の膜エレメント２４、２４…によって構成される。各膜エレメント２４は、矩形の板状に形成された通水材（不図示）の両面に、有機平膜などの膜２６を貼り合わせるとともに、その外周部を不図示のシール部材でシールすることにより構成される。各膜ユニット２２は、所定の間隔をあけて平行に配設されるとともに、各膜ユニット２２の膜２６が処理槽１４（図１参照）の内壁と平行になるようにして設置される。
【００２１】
膜エレメント２４の上端には集水管２８が接続されている。この集水管２８は、膜エレメント２４の内部に連通され、その先端はポンプ（図１参照）２０に接続されている。したがって、ポンプ２０を駆動することによって、各膜エレメント２４の内部に吸引作用が働き、被処理水が膜２６を介して内部に吸引される。そして、膜２６を透過した処理水が集水管２８を介して排水される。なお、図１は、各膜ユニット２２ごとに別々のポンプ２０を接続した例であるが、複数の膜ユニット２２で共通のポンプを使用してもよい。また、図２には、集水管２８を膜エレメント２４の上部に接続した例を示したが、集水管を膜エレメント２４の左右両端部に接続し、処理水を水平方向に引き抜くようにしてもよい。
【００２２】
図３に示すように、処理槽１４の底面には、各膜ユニット２２の設置位置において、水深の大きい深部３４が形成されている。深部３４における水深は、他の部分の水深の略二倍程度になるように構成される。前述した膜エレメント２４は、この深部３４に合わせて縦長に形成されている。なお、縦長の膜エレメント２４を設ける代わりに、通常の（高さ寸法の小さい）膜エレメントを上下に複数段に重ねて配設してもよい。
【００２３】
膜ユニット２２の下方には散気管３０が設けられ、散気管３０はブロア３２に接続される。このブロア３２からエアを送気すると、無数の気泡が被処理水中に散気される。この散気された気泡は、膜エレメント２４、２４間を上昇するので、そのエアリフト効果によって被処理水の上昇流が形成される。これにより、膜２６にクロスフローが付与され、膜２６が洗浄される。したがって、膜２６に付着物が堆積することを抑制することができる。
【００２４】
膜ユニット２０の上流側と下流側にはそれぞれ阻流板３６、３８が立設される。阻流板３６、３８は処理槽１４の側壁１４Ａ、１４Ｂ（図５参照）と直交するように設置される。上流側の阻流板３６は、その上端が液面よりも高く突出されるとともに、下端が底面から所定の隙間を持って配置される。一方、下流側の阻流板３８は、その上端が液面より若干低い位置に配置されるとともに、下端が底面に固定されている。したがって、散気管３０から散気を行うと、散気された気泡のエアリフト効果によって被処理水の上昇流が形成される。そして、上流側の阻流板３６の下端を潜るようにして上流側の被処理水が膜ユニット２２側に吸い込まれるとともに、膜ユニット２２側の被処理水が下流側の阻流板３８の上端を越えて下流側に流れる。これにより、被処理水が原水槽１２の回りを旋回する旋回流が形成される。なお、深部３４の上流側はテーパ状に形成されており、被処理水がスムーズに二つの阻流板３６、３８同士の間にもぐり込むようになっている。
【００２５】
図１に示すように、供給用配管１６は、各膜ユニット２２の下流側（すなわち、各阻流板３８の下流側）において処理槽１４に接続される。供給用配管１６にはポンプ４０と弁４２が配設されており、ポンプ４０を駆動することによって原水槽１２の被処理水が処理槽１４に供給される。また、弁４２の開度、或いはポンプ４０の送液量を調節することによって、供給用配管１６を流れる被処理水の流量が調節される。これにより、各供給用配管１６によって供給される被処理水の流量を各々調節することができる。
【００２６】
なお、供給用配管１６の先端は、被処理水の液中に配置することが好ましい。これによって、阻流板３８の下流側の下部に被処理水が給水されるので、このエリアに被処理水の滞留域が形成されることを防止できる。
【００２７】
また、被処理水の供給方法は上述したものに限定されるものではない。例えば図４に示すように、供給用配管４８を原水槽１２の側壁の上部に接続するとともに、供給用配管４８の入口に堰５０を上下にスライド自在に設けてもよい。この場合、原水槽１２の水位が上昇して堰５０の上端を越えると、被処理水は自動的に供給用配管４８から処理槽１４に供給される。また、堰５０の高さ位置を手動または自動で変えることによって、被処理水の供給流量を調節することができる。なお、供給用配管４８を設けずに、原水槽１２の側壁の上部に開口を設けるだけでもよい。
【００２８】
図５に示すように、処理槽１４の側壁１４Ａ、１４Ｂには可動壁４４が設けられる。可動壁４４は、膜ユニット２２の側方に設けられ、処理槽１４の幅方向にスライド自在に支持される。また、可動壁４４は、シリンダ４６に接続され、このシリンダ４６によって処理槽１４の幅方向に移動するようになっている。したがって、可動壁４４によって旋回流の流路を狭窄することができ、膜ユニット２２を通過する被処理水の流速を増加させることができる。これにより、膜ユニット２２の膜２６にかかる剪断力が増加するので、膜２６に付着した堆積物の剥離性が向上し、膜２６の閉塞を防止することができる。なお、側壁１４Ａ、１４Ｂに可動壁４４、４４は、同時に同量だけスライドすることが好ましい。また、可動壁４４は、側壁１４Ａ、１４Ｂの両方に設けることが好ましいが、どちらか一方にのみ設けてもよい。
【００２９】
次に上記の如く構成された膜分離装置１０の作用について説明する。
【００３０】
ブロア３２を駆動して散気管３０から散気を行うと、エアリフト効果によって被処理水が上昇する。そして、上流側の阻流板３６の下方から被処理水が膜ユニット２２側に吸い込まれるとともに、膜ユニット２２側の被処理水が阻流板３８の上端を越えて流れ出す。これにより、被処理水が原水槽１２の回りを旋回する旋回流が形成される。このとき、攪拌機１８を駆動することによって、旋回流の形成を迅速に行うことができる。
【００３１】
散気管３０から散気を行ったことによって、膜ユニット２２の設置位置（すなわち、阻流板３６、３８の間）は、好気状態になる。以下、このエリアを好気部という。また、好気部と好気部との間では、酸素との接触がないため嫌気状態（以下、嫌気部という）になっている。
【００３２】
被処理水は処理槽１４内を旋回することによって、好気部と嫌気部を交互に通過する。これにより、好気部における硝化作用と、嫌気部における脱窒作用を交互に受けて、被処理水の窒素成分が効率良く除去される。
【００３３】
被処理水の旋回流が形成された状態でポンプ２０を駆動すると、被処理水が膜エレメント２４の内部に吸引される。これにより、膜濾過が行われ、懸濁物のない処理水を得ることができる。膜濾過を行った結果、処理槽１４の内部は汚泥濃度が上昇し、例えば１０ｇ／Ｌ と高い汚泥濃度になる。これにより、好気部でのＤＯの消費量が大きくなるので、嫌気部でのＤＯは低下し、嫌気部での処理性能を向上させることができる。
【００３４】
ところで、嫌気部では被処理水中のＢＯＤを栄養源として嫌気処理を行っている。したがって、嫌気部においてＢＯＤ濃度が低下すると、嫌気部での処理性能が低下するという問題が発生する。従来装置では、被処理水（原水）を処理槽に一カ所で供給していたため、供給位置に対して下流側の嫌気部になるほど、処理性能が低下するという問題が発生していた。
【００３５】
本実施の形態では、このような不具合を解消するため、供給用配管１６、１６…をそれぞれ膜ユニット２２、２２…の下流側に接続することによって、各嫌気部に被処理水を供給している。これにより、各嫌気部にＢＯＤが十分に供給されるので、嫌気部での処理性能を向上させることができる。
【００３６】
また、本実施の形態によれば、膜２６が旋回流の流れ方向と平行に配置されているので、旋回流によって膜２６を洗浄することができ、膜２６への付着物の堆積を防止できる。
【００３７】
さらに、本実施の形態では、可動壁４４を処理槽１４の側壁から突出させて旋回流の流路を狭窄することができるので、膜２６にかかる旋回流の流速を増加させ、膜２６の洗浄効果を上昇させることができる。なお、本実施の形態では、可動壁４４を必要に応じて退避させ、旋回流の流路を広げることができる。したがって、例えば運転開始時に流路を広げることにより、旋回流の形成を容易に行うことができる。また、膜２６の洗浄時にのみ、旋回流の流路を狭窄するようにしてもよい。なお、攪拌機１８を稼働させることによって、旋回流の流速を速め、膜２６の洗浄効果を高めることも可能である。
【００３８】
また、本実施の形態によれば、処理槽１４に深部３４を設け、この深部３４の底部に散気管３０を配設しているので、散気管３０から散気された気泡が被処理水に接触する時間が長くなる。したがって、好気部における溶存酸素濃度を向上させることができる。これにより、汚泥濃度が高い場合であっても、好気部においてＤＯを確実に増加させることができ、好気部での処理性能を維持することができる。
【００３９】
また、本実施の形態では、無端状の処理槽１４の内側に原水槽１２を設けたので、処理槽１４と原水槽１２を小さなスペースに設置することができる。したがって、敷地の単位面積あたりの処理性能を向上させることができる。
【００４０】
さらに、処理槽１４の内側に原水槽１２を設けたことによって、被処理水の処理槽１４への供給を容易に制御することができる。例えば図４に示したように堰５０を用いて供給量を調節する場合には、堰５０の高さ位置を揃えるだけで、各供給用配管４８において同量の被処理水を供給することができる。
【００４１】
なお、上述した膜分離装置１０は、四つの主な構成要件（すなわち、▲１▼被処理水を多段階的に供給すること、▲２▼処理槽１４の内側に原水槽１２を設けたこと、▲３▼膜ユニット２２の設置位置において流路を狭窄したこと、▲４▼膜ユニット２２の設置位置に処理槽１４の深部３４を設けたこと）を同時に満たす実施形態であるが、四つの構成要件のうちのいずれか一つを満たせば処理性能を向上させることができる。以下に、各構成要件について説明する。
【００４２】
図６に示す膜分離装置は、上記の構成要件▲１▼を満たす装置の一例である。同図に示す膜分離装置は、原水槽５２が処理槽５４の外側に配置され、原水槽５２と処理槽５４は、供給用配管５６を介して接続される。供給用配管５６は処理槽５４側の先端が分岐され、それぞれが膜ユニット２２の下流で処理槽５４に接続される。また、供給用配管５６の分岐管部分にはそれぞれ、流量を調節可能な弁５８が配設される。したがって、供給用配管５６に配設されたポンプ６０を駆動することによって、原水槽５２の被処理水が供給用配管５６を介して処理槽５４の内部に供給される。その際、弁５８の開度を調節することによって、各供給量を調節することができる。これにより、原水槽５２の被処理水を旋回流の流れ方向に多段階的に供給することができる。
【００４３】
上記の如く構成された膜分離装置では、処理水を旋回流の流れ方向において多段階的に供給することができるので、旋回流の流れ方向において被処理水の成分分布（特にＢＯＤの濃度分布）が発生することを防止できる。
【００４４】
なお、被処理水の供給位置は嫌気部の上流側に限定されるものではなく、旋回流に沿って多段階的に供給するものであればよい。したがって、例えば、各好気部の上流側（すなわち阻流板３６の上流側）に被処理水を供給し、ＤＯを増加させるようにしてもよい。
【００４５】
図７に示す膜分離装置は、構成要件▲２▼を満たす装置の一例である。同図に示すように、処理槽６４は略長円の枠状に形成されており、原水槽６２は、その内側に略長円状に形成されている。原水槽６２の被処理水は、供給用配管６６によって処理槽６４に供給される。処理槽６４には、膜ユニット２２が配設され、この膜ユニット２２によって膜濾過が行われる。
【００４６】
この膜分離装置によれば、処理槽６４の内側に原水槽６２が配設されるので、処理槽６４と原水槽６２を小さなスペースに設置することができ、敷地の単位面積あたりの処理性能を向上させることができる。なお、原水槽６２は処理槽６４の内側に配設されていればよく、その形状は処理槽６４の内壁と同じ形状に限定されるものではない。したがって、図７に二点鎖線で示すように、処理槽６４の内側に二つに仕切り、一方を原水槽６２とし、他方を処理水や汚泥を貯留する槽として使用してもよい。
【００４７】
なお、処理槽１４、６４の形状は、上述した矩形の枠状や長円の枠状に限定されるものではなく、円周形状や多角形の枠状など、旋回流が形成可能な無端状であればよい。ただし、膜ユニット２２は旋回流の流路の直線部分に配置することが好ましいため、複数の膜ユニット２２、２２…を少ない敷地面積で設置するには、図７に示したように長円の枠状の処理槽６４を用いることが好ましい。また、原水槽１２、６２は、処理槽１４、６４の内側に配置可能な形状であればよい。
【００４８】
図８、図９は、旋回流の流路を狭窄する狭窄手段の他の実施形態を示す図である。
【００４９】
図８に示す狭窄手段は揺動板６８によって構成される。揺動板６８は、膜ユニット２２の側方に設けられ、処理槽１４の側壁１４Ａ、１４Ｂに形成された凹部に取り付けられる。また、揺動板６８は、軸７０を中心として揺動自在に支持される。軸７０は、膜ユニット２２を通過する旋回流の流れ方向と直交するように設置される。例えば、前述したように膜ユニット２２の位置で上昇流が形成される場合には、軸７０が水平に設置される。また、図３に示した阻流板３６、３８がなく、常に水平な旋回流が形成される場合には、軸７０は垂直に設置される。揺動板６８は、このように配置された軸７０を中心として揺動自在に支持され、不図示の駆動手段によって揺動される。この揺動板６８を揺動させて壁面１４Ａ、１４Ｂから突出させると、旋回流の流路を狭窄することができる。また、揺動板６８の角度を調節することによって、流路の断面積を調節することができる。さらに、揺動板６８を凹部に収納して流路を広げることも可能である。
【００５０】
図９に示す狭窄手段は、エアバッグ７２によって構成される。エアバッグ７２は、処理槽１４の側壁１４Ａ、１４Ｂに取り付けられており、エアバッグ７２の内部にエアを送気することによって膨張する。これにより、旋回流の流路を狭窄することができる。また、エアバッグ７２は、内部からエアを排出することによって収縮する。これにより、旋回流の流路を狭めることができる。なお、エアバッグ７２を膨張させる手段として、散気用のブロア３２（図３参照）を利用してもよい。
【００５１】
上述した実施の形態は、処理槽１４の幅方向に流路を狭窄するようにしたが、狭窄する方向はこれに限定するものではなく、処理槽１４の長手方向、或いは高さ方向に狭窄してもよい。例えば、図３に示した阻流板３６、３８の間隔を狭めることによって、流路を狭窄するようにしてもよい。
【００５２】
また、上述した実施の形態は、可動式の狭窄手段の例について説明したが、固定式の狭窄手段を用いてもよい。例えば、処理槽１４の側壁１４Ａ、１４Ｂに凸部を設け、流路を狭窄してもよい。
【図面の簡単な説明】
【００５３】
【図１】本発明に係る膜分離装置の構成を模式的に示す構成図
【図２】膜ユニットの構成を示す斜視図
【図３】図１の３−３線に沿う断面図
【図４】被処理水の他の供給方法を示す断面図
【図５】狭窄手段を示す平面図
【図６】被処理水を多段階的に供給する他の膜分離装置を示す構成図
【図７】原水槽を旋回流の内側に配置した他の膜分離装置を示す構成図
【図８】狭窄手段の他の実施形態を示す縦断面図
【図９】狭窄手段の他の実施形態を示す縦断面図
【符号の説明】
【００５４】
１０…膜分離装置、１２…原水槽、１４…処理槽、１６…供給用配管、１８…攪拌機、２２…膜ユニット、２４…膜エレメント、２６…膜、２８…集水管、３０…散気管、３２…ブロア、３４…深部、３６…阻流板、３８…阻流板、４０…ポンプ、４２…弁、４４…可動壁、４６…シリンダ、４８…供給用配管、５０…堰、５２…原水槽、５４…処理槽、５６…供給用配管、５８…弁、６０…ポンプ、６２…原水槽、６４…処理槽、６６…供給用配管、６８…揺動板、７０…軸、７２…エアバッグ
【図１】
2008212930.tif 000003
【図２】
2008212930.tif 000004
【図３】
2008212930.tif 000005
【図４】
2008212930.tif 000006
【図５】
2008212930.tif 000007
【図６】
2008212930.tif 000008
【図７】
2008212930.tif 000009
【図８】
2008212930.tif 000010
【図９】
2008212930.tif 000011